(57)【要約】【課題】ボタンを押した時の感触がソフトで心地よく、長時間押し続けても適度に減圧する緩衝効果があって、使い心地がいいだけでなく、押す時の力を少なくして、操作時の疲労を和らげ、いかなる使用者でも、その手の形や大きさに適用することができて、完全に手と指にマッチして、操作時の力を節約することが可能であり、さらに、手にまめやたこができたり、指が変形したりするのを防ぐことができる緩衝機能付きゲーム機コントローラーを提供する。  【解決手段】緩衝機能付きゲーム機コントローラーは、その触発表面の一側面にある方角ボタン及び複数の機能ボタンに緩衝保護機能が備わっていて、触発面積が大きく、ボタンの周囲に緩衝パーツがある。また、いくつもの緩衝減圧防護設計があること、コントローラー本体の台座の握り部分の硬質プラスチックが空間になっていること、そして、この空間部分の外側がジョイスティックの大きさに応じてカプセルで覆われていることにより、一種の緩衝エアバッグ作用がある。【選択図】    図１
0003102907.tif 000002
【実用新案登録請求の範囲】
【請求項１】
コントローラー本体の表面の一側面に、方角ボタン及び複数の機能ボタンがあって、緩衝保護構造を形成していて、
方角ボタンは、その表面が軟質材質でできた保護パッドで覆われていて、その周囲には弾力性のある環状パッドがあり、さらに、この弾力性のある環状パッドは、柔らかい材質の保護パッドで覆われていて、また、この弾力性のあるパッド底面は、複数の緩衝パーツで支えられていて、さらに、その底面は複数の一体成型の軸柱底部が全て弾力性に富むパッドに連結していて、弾力性のある環状パッドがくぼみ槽の上方で常に浮き上がって動くように固定されて、コントローラー本体から離脱することがなく、
複数の機能ボタンが底部の触発部分に緩衝パーツがあって、機能ボタンを押した時の圧力を緩和して、複数の機能ボタンにも周囲に弾力性のある環状パッドにあり、さらに、この弾力性のある環状パッドの表面が柔らかい材質の保護パッドで覆われていて、また、この弾力性のある環状パッド底面が複数の緩衝パーツによって支えられ、さらに、その底面にある複数の一体成型でできた軸柱の底部が全て弾力性に富むパッドに連結していて、弾力性のある環状パッドをくぼみ槽の上方に浮いた状態で動くように固定されて、コントローラー本体から離脱することがなく、
コントローラー底部台座の握り部分の硬質プラスチックは、適度な空間穴を形成し、さらに、この空間穴の外側は、手の大きさと握り具合に応じて突起した柔らかいカプセルで覆われていることにより、
操作時は、底部の柔らかいカプセルがあることで、指に完全にマッチし、操作時の力を節約することができ、方角ボタン或いは機能ボタンを下まで押した時、手はあらかじめ方角ボタンの周囲にある柔らかい材質の弾力性のある環状パッドに当たり、触発面積が大きくなるだけでなく、同時に、弾力性のある弾力性のある環状パッド底面にある複数のバネの緩衝作用により、また、複数の軸柱とパッドが弾力性のある減圧効果のある緩衝作用を形成して、さらに、いくつもの緩衝減圧防護設計があることで、押す時の力を減らして疲労を和らげ、手にまめやたこができたり、指が変形したりするのを防ぐという特長を持つ、緩衝機能付きゲーム機コントローラー。
【請求項２】
機能ボタンは底部の触圧部分に緩衝パーツがあり、この緩衝パーツは、弾力性のあるシリコンゴムでできたプッシュカバーで、このプッシュカバーの頂上部分には一定した高度を保つ収納穴があって、機能ボタンの底部がはまり込むようになっていて、プッシュカバー上部の収納穴の高度によって、機能ボタンを押した時の圧力を緩和する効果を高めているという特長を持つ、請求項１に記載の緩衝機能付きゲーム機コントローラー。
【請求項３】
機能ボタンは底部に触発部分の緩衝パーツがあり、この緩衝パーツは中間が空洞の弾力性のあるシリコンゴムでできた弾力性のある柱で、それは機能ボタンの底部に連結していて、底部のプッシュカバーに当たるようになっていて、弾力性のある柱があることにより、機能ボタンを押した時の圧力を緩和する効果を高めているという特長を持つ、請求項１に記載の緩衝機能付きゲーム機コントローラー。
【請求項４】
緩衝パーツは柔らかいゴム、バネ等で、押した時の圧力を緩和することができるという特長を持つ、請求項１に記載の緩衝機能付きゲーム機コントローラー。
【考案の詳細な説明】
【技術分野】
【０００１】
本考案はゲーム機のコントローラーに関する。本考案のコントローラーは、長時間使用しても手が疲れない保護設計がなされている。
【背景技術】
【０００２】
従来のゲーム機コントローラーは、そのボタンが全てプラスチック材質でできている。これらのボタンは直接押して触発するタイプで、長時間使用するとかなり疲れる。特に、押したまま放すことがないと、接触する周囲の材質が全て硬質プラスチック材質であるため、上下左右の全方位的に押し続けるという行為は、時に反作用の応力を感じることがあり、不快感がある。手がだるくなったり、痛みを感じたり、あるいは、手にまめやたこができたりすることもあり、ひどくなると、指が変形することも考えられる。また、コントローラーの台座は、その接触面がABSあるいは硬質プラスチックの射出成型によるものであるため、手にした時の感じが硬く、握り心地もよくない。
【考案の開示】
【考案が解決しようとする課題】
【０００３】
本考案が解決しようとする課題は、ボタンを押した時の感触がソフトで心地よく、長時間押し続けても適度に減圧する緩衝効果があって、使い心地がいいだけでなく、押す時の力を少なくして、操作時の疲労を和らげ、いかなる使用者でも、その手の形や大きさに適用することができて、完全に手と指にマッチして、操作時の力を節約することが可能であり、さらに、手にまめやたこができたり、指が変形したりするのを防ぐことができる緩衝機能付きゲーム機コントローラーを提供することを目的とする。
【課題を解決するための手段】
【０００４】
本考案のコントローラーは、その触発表面の一側面にある方角ボタン及び複数の機能ボタンに緩衝保護機能が備わっている。使用の際、触発面積が大きいことにより、押した時ときの感触がソフトで心地よい。さらに、長時間押し続けても、ボタンの周囲に緩衝パーツがあることで、適度に減圧する緩衝効果がある。また、いくつもの緩衝減圧防護設計があること、コントローラー本体の台座の握り部分の硬質プラスチックが空間になっていること、そして、この空間部分の外側がジョイスティックの大きさに応じてカプセルで覆われていることにより、一種の緩衝エアバッグ作用があり、いかなる使用者でも、その手の形や大きさに適用することができて、完全に手と指にマッチして、操作時の力を節約することが可能である。したがって、本考案のコントローラーは、使い心地がいいだけでなく、押す時の力を少なくして、操作時の疲労を和らげる効果がある。さらに、手にまめやたこができたり、指が変形したりするのを防ぐという効果がある。
【０００５】
本考案の緩衝機能付きゲーム機コントローラーは、実用新案登録請求の範囲の請求項１に記載のように、コントローラー本体の表面の一側面に、方角ボタン及び複数の機能ボタンがあって、緩衝保護構造を形成していて、方角ボタンは、その表面が軟質材質でできた保護パッドで覆われていて、その周囲には弾力性のある環状パッドがあり、さらに、この弾力性のある環状パッドは、柔らかい材質の保護パッドで覆われていて、また、この弾力性のあるパッド底面は、複数の緩衝パーツで支えられていて、さらに、その底面は複数の一体成型の軸柱底部が全て弾力性に富むパッドに連結していて、弾力性のある環状パッドがくぼみ槽の上方で常に浮き上がって動くように固定されて、コントローラー本体から離脱することがなく、複数の機能ボタンが底部の触発部分に緩衝パーツがあって、機能ボタンを押した時の圧力を緩和して、複数の機能ボタンにも周囲に弾力性のある環状パッドにあり、さらに、この弾力性のある環状パッドの表面が柔らかい材質の保護パッドで覆われていて、また、この弾力性のある環状パッド底面が複数の緩衝パーツによって支えられ、さらに、その底面にある複数の一体成型でできた軸柱の底部が全て弾力性に富むパッドに連結していて、弾力性のある環状パッドをくぼみ槽の上方に浮いた状態で動くように固定されて、コントローラー本体から離脱することがなく、コントローラー底部台座の握り部分の硬質プラスチックは、適度な空間穴を形成し、さらに、この空間穴の外側は、手の大きさと握り具合に応じて突起した柔らかいカプセルで覆われていることにより、操作時は、底部の柔らかいカプセルがあることで、指に完全にマッチし、操作時の力を節約することができ、方角ボタン或いは機能ボタンを下まで押した時、手はあらかじめ方角ボタンの周囲にある柔らかい材質の弾力性のある環状パッドに当たり、触発面積が大きくなるだけでなく、同時に、弾力性のある弾力性のある環状パッド底面にある複数のバネの緩衝作用により、また、複数の軸柱とパッドが弾力性のある減圧効果のある緩衝作用を形成して、さらに、いくつもの緩衝減圧防護設計があることで、押す時の力を減らして疲労を和らげ、手にまめやたこができたり、指が変形したりするのを防ぐという特長を持つ。
【０００６】
また、本考案の緩衝機能付きゲーム機コントローラーは、実用新案登録請求の範囲の請求項２に記載のように、上記請求項１において、機能ボタンは底部の触圧部分に緩衝パーツがあり、この緩衝パーツは、弾力性のあるシリコンゴムでできたプッシュカバーで、このプッシュカバーの頂上部分には一定した高度を保つ収納穴があって、機能ボタンの底部がはまり込むようになっていて、プッシュカバー上部の収納穴の高度によって、機能ボタンを押した時の圧力を緩和する効果を高めているという特長を持つ。
【０００７】
さらに、本考案の緩衝機能付きゲーム機コントローラーは、実用新案登録請求の範囲の請求項３に記載のように、上記請求項１において、機能ボタンは底部に触発部分の緩衝パーツがあり、この緩衝パーツは中間が空洞の弾力性のあるシリコンゴムでできた弾力性のある柱で、それは機能ボタンの底部に連結していて、底部のプッシュカバーに当たるようになっていて、弾力性のある柱があることにより、機能ボタンを押した時の圧力を緩和する効果を高めているという特長を持つ。
【０００８】
又更に、本考案の緩衝機能付きゲーム機コントローラーは、実用新案登録請求の範囲の請求項４に記載のように、上記請求項１において、緩衝パーツは柔らかいゴム、バネ等で、押した時の圧力を緩和することができるという特長を持つ。
【考案の効果】
【０００９】
本考案のコントローラーは、その本体表面の一側面に、方角ボタン及び複数の機能ボタンがあって、緩衝保護構造を持つ。したがって、操作者は、その触発面積が大きいことと、押した時の感触がソフトで心地よいこと、長時間所用してもボタンの周囲の緩衝パーツによって適度に減圧緩衝する作用があることにより、押す力を節約できて、疲労を減少させて、手にまめやたこができたり、指が変形したりするのを防ぐという効果がある。
また、いくつもの緩衝減圧防護設計があること、コントローラー本体の台座の握り部分の硬質プラスチックが空間になっていること、そして、この空間部分の外側がジョイスティックの大きさに応じてカプセルで覆われていることにより、一種の緩衝エアバッグ作用があり、いかなる使用者でも、その手の形や大きさに適用することができて、完全に手と指にマッチして、操作時の力を節約することが可能であり、使い心地がいいという特長がある。
【考案を実施するための最良の形態】
【００１０】
図１を参照いただきたい。本考案のコントローラーは、コントローラー本体１の表面の一側面に、方角ボタン２及び複数の機能ボタン３があって、緩衝保護構造を形成している。
【００１１】
図２を参照いただきたい。この方角ボタン２は、その表面が軟質材質でできた保護パッド２１で覆われている。そして、その周囲には弾力性のある環状パッド２２がある。さらに、この弾力性のある環状パッド２２は、柔らかい材質の保護パッド２３で覆われている。また、この弾力性のあるパッド２２底面は、複数の緩衝パーツ２４で支えられている。この緩衝パーツ２４は、軟質プラスチック、バネ等でできていて、支えるパーツの負担を軽くしている（図ではバネを使用した例が示されている）。さらに、その底面は複数の一体成型の軸柱２５底部が全て弾力性に富むパッド２６に連結していて、弾力性のある環状パッド２２がくぼみ槽２６の上方で常に浮き上がるように固定されて、コントローラー本体１から離脱することがない。
【００１２】
したがって、手で方角ボタン２を下に押して、方角をコントロールする時、手は方角ボタン２表面を覆っている保護パッド２１を押すことになり、ソフトな緩衝が心地よく、方角ボタン２を下まで押した時、あらかじめ方角ボタン２の周囲にある、弾力性のあるパッド２２上方を覆っている保護パッド２３の上に当たり、触発面積が大きくなるだけでなく、同時に、弾力性のあるパッド２２の底面の複数の緩衝パーツ２４の緩衝作用により、また、複数の軸柱２５とパッド２６が弾力性のある減圧効果のある緩衝作用を形成して、操作時に、上から下に押す順序に、上方が方角ボタン２上方の保護パッド２１の保護を受け、中間は弾力性のある環状パッド２２の浮動減圧作用を受け、下方は緩衝パーツ２４、軸柱２５とパッド２６が底部眼圧緩衝作用を形成して、さらに、いくつもの緩衝減圧防護設計があることで、押す時の力を減らして疲労を和らげ、手にまめやたこができたり、指が変形したりするのを防ぐという特長がある。
【００１３】
図３及び図４を参照いただきたい。複数の機能ボタン３は底部の触圧部分に緩衝パーツがある。この緩衝パーツは、弾力性のあるシリコンゴムでできたプッシュカバー３１（図３を参照いただきたい）で、このプッシュカバー３１の頂上部分には一定した高度ｈを保つ収納穴３１１があって、機能ボタン３の底部がはまり込むようになっている。したがって、プッシュカバー３１上部の収納穴の高度によって、機能ボタン３を押した時の圧力を緩和する効果を高めている。あるいは、この緩衝パーツは中間が空洞の弾力性のあるシリコンゴムでできた弾力性のある柱３２（図４を参照いただきたい）で、それは機能ボタン３の底部に連結していて、底部のプッシュカバー３１に当たるようになっている。
【００１４】
したがって、弾力性のある柱３２があることにより、機能ボタン３を押した時の圧力を緩和する効果を高めている。また、図５に示したように、この複数の機能ボタン３も周囲に弾力性のある環状パッド３３を取り付け、この弾力性のある環状パッド３３表面は柔らかい材質の保護パッド３４で覆われている。また、この弾力性のある環状パッド３３底面は、複数の緩衝パーツ３５に支えられている。この緩衝パーツ３５は柔らかいゴム、バネ等で、押した時の圧力を緩和することができる（図に示した実施例ではバネが使用されている）。さらに、その底面にある複数の一体成型の軸柱３６の底部は、全て弾力性に富むパッド３７と連結している。そして、外縁にはバネ３９がはまっていて、弾力性のあるパッド３３がくぼみ槽３８の上方に浮いた状態で動くように固定され、コントローラー本体１の外に飛び出すことがない。
【００１５】
したがって、操作時に、手で下に向かって機能ボタン３を押すと、機能ボタン３底部の触発部分にある緩衝パーツによって、手で押した時の感触がソフトであるという効果がある。さらに、手で機能ボタン３を下まで押した時、その機能ボタン３の周囲に取り付けてある弾力性のある環状パッド３３上方に覆ってある保護パッド３４に当たり、触発面積が大きくなるという効果がある。同時に、弾力性のある環状パッド３３底面の複数の緩衝パーツ３５の緩衝作用、及び、複数の軸柱３６とパッド３７が形成する弾力性のある減圧緩衝作用により、上から下に押した時、順に機能ボタン３底部の触圧箇所に設置した緩衝パーツの緩衝保護を受けて、中間は弾力性のある環状パッド３３の浮動減圧作用により、下方は緩衝パーツ３５、軸柱３６とパッド３７によって形成された眼圧緩衝作用により、さらに、いくつもの層の緩衝減圧の防護設計によって、押した時の圧力を緩和して、操作時の疲労を減少し、手にまめやたこができたり、指が変形したりするのを防ぐことができる。
【００１６】
図６、図７を参照いただきたい。本考案のコントローラー１底部台座１１の握り部分の硬質プラスチックは、適度な空間穴１１１を形成する。さらに、この空間穴１１１の外側は、手の大きさと握り具合に応じて突起した柔らかいカプセル１１２で覆われているので、緩衝エアバッグの作用を果たすため、いかなる手の大きさや形にも合う。したがって、操作時は指にマッチして、操作時の力を節約でき、握り心地もよいという特長を持つ。
【図面の簡単な説明】
【００１７】
【図１】本考案のコントローラーの外観図である。
【図２】本考案のコントローラーをA-A面で切断した断面図である。
【図３】本考案のコントローラーをB-B面で切断した断面図である。
【図４】本考案のコントローラーの、機能ボタンのもう一つの緩衝パーツの断面図である。
【図５】本考案のコントローラーをC-C面で切断した断面図である。
【図６】本考案のコントローラーの台座の側面図である。
【図７】本考案のコントローラーの台座を下から見た図である。
【符号の説明】
【００１８】
１        コントローラー本体
１１      台座
１１１    空間穴
１１２    軟質カプセル部分
２        方角ボタン
２１      保護パッド
２２      弾力性のある環状パッド
２３      保護パッド
２４      緩衝パーツ
２５      軸柱
２６      パッド
２７      くぼみ槽
３        機能ボタン
３１      プッシュカバー
３１１    収納穴
３２      弾力性のある柱
３３      弾力性のあるパッド
３４      保護パッド
３５      緩衝パーツ  
【図１】
0003102907.tif 000003
【図２】
0003102907.tif 000004
【図３】
0003102907.tif 000005
【図４】
0003102907.tif 000006
【図５】
0003102907.tif 000007
【図６】
0003102907.tif 000008
【図７】
0003102907.tif 000009